(57)【要約】【課題】表示画質の低下を生じさせることなく、表示素子に本来の電圧よりも高い電圧を印加させることが可能な画像表示装置を提供する。【解決手段】液晶表示パネル２内の各画素回路ユニット（液晶表示素子）の表示駆動の際に、画素２０内の補助容量素子Ｃｓの他端（対向電極）に、補助容量電圧生成部５１４により生成される補助容量電圧Ｖoutを供給する。また、この補助容量電圧Ｖoutを補助容量素子Ｃｓ単位で供給する。各表示素子において、液晶素子ＬＣの両端間の電圧が映像信号Ｄoutに基づく本来の電圧値よりも高くなると共に、液晶表示素子単位での適応的な電力供給が可能となる。【選択図】図２
2008256914.tif 000002
【特許請求の範囲】
【請求項１】
一端に供給される画像データに応じて表示のための動作を行う表示要素としての主容量素子と、一端が前記主容量素子の一端に接続された補助容量素子とを各々が含むようにして構成された複数の表示素子と、
前記主容量素子の両端間の電圧が本来の電圧値よりも大きくなるような電位である対向電位を前記補助容量素子の他端に補助容量素子単位で供給しつつ、各表示素子の表示駆動を行う駆動手段と
を備えたことを特徴とする画像表示装置。
【請求項２】
前記駆動手段は、前記対向電位として、前記主容量素子の両端間の電圧と逆極性の電位を前記補助容量素子単位で供給する
ことを特徴とする請求項１に記載の画像表示装置。
【請求項３】
前記駆動手段は、各表示素子へ供給される画像データに応じて、前記対向電位を前記補助容量素子単位で変化させる
ことを特徴とする請求項１に記載の画像表示装置。
【請求項４】
前記駆動手段は、現在の単位フレームとその直前の単位フレームとの間の画像データの輝度レベル差が所定の閾値以上の表示素子に対し、前記主容量素子の両端間の電圧が選択的に大きくなるように、前記対向電位を前記補助容量素子単位で変化させる
ことを特徴とする請求項３に記載の画像表示装置。
【請求項５】
前記駆動手段は、前記画像データの輝度レベル差が前記閾値以上の表示素子において、その輝度レベル差が大きくなるのに応じて前記主容量素子の両端間の電圧がより大きくなるように、前記対向電位を前記補助容量素子単位で変化させる
ことを特徴とする請求項３に記載の画像表示装置。
【請求項６】
前記主容量素子が液晶層を含んで構成され、
前記表示素子が液晶表示素子である
ことを特徴とする請求項１に記載の画像表示装置。
【請求項７】
前記液晶層が、垂直配向（ＶＡ）モードの液晶により構成されている
ことを特徴とする請求項６に記載の画像表示装置。
【請求項８】
前記駆動手段は、黒表示状態から白表示状態へ遷移する液晶表示素子に対し、前記主容量素子の両端間の電圧が選択的に大きくなるように、前記対向電位を前記補助容量素子単位で変化させる
ことを特徴とする請求項７に記載の画像表示装置。
【請求項９】
前記駆動手段は、前記白表示状態と前記黒表示状態との画像データの輝度レベル差が所定の閾値以上の液晶表示素子に対し、前記主容量素子の両端間の電圧が選択的に大きくなるように、前記対向電位を前記補助容量素子単位で変化させる
ことを特徴とする請求項８に記載の画像表示装置。
【請求項１０】
各液晶表示素子が、
前記主容量素子および前記補助容量素子の一端同士に対して前記画像データを供給するための第１のスイッチング素子と、
前記第１のスイッチング素子による前記画像データの供給開始タイミングに同期して、前記補助容量素子の他端に前記対向電位を供給するための第２のスイッチング素子と、
前記第１のスイッチング素子による前記画像データの供給終了後に、前記補助容量素子の他端を所定の基準電位に再設定するための第３のスイッチング素子と
を含んで構成されている
ことを特徴とする請求項６に記載の画像表示装置。
【請求項１１】
各液晶表示素子がマトリクス状に配置され、
前記駆動手段は、前記液晶表示素子を線順次で表示駆動を行い、
各液晶表示素子には、
駆動対象の液晶表示素子を線順次で選択するための１本のゲート線と、
駆動対象の液晶表示素子に対して前記画像データを供給するための１本のソース線と、
前記基準電位への再設定を行うための１本の基準電位線とが接続され、
前記第１のスイッチング素子は、前記駆動手段から前記ゲート線を介して供給される選択信号に応じて、前記ソース線と前記主容量素子および前記補助容量素子の一端同士との間を選択的に導通させるものであり、
前記第２のスイッチング素子は、前記選択信号に応じて、前記ソース線に隣接する隣接ソース線と前記補助容量素子の他端との間を選択的に導通させて前記対向電位を一時的に供給するためのものであり、
前記第３のスイッチング素子は、前記駆動手段から前記ゲート線に隣接する隣接ゲート線を介して供給される隣接選択信号に応じて、前記基準電位線と前記補助容量素子の他端との間を選択的に導通させて前記基準電位を供給するためのものであり、
前記液晶表示素子は、
前記第２のスイッチング素子に対して前記選択信号をパルス状に供給させるための第１の容量素子と、
前記第２のスイッチング素子をオフ状態として前記隣接ソース線と前記補助容量素子の他端との間を選択的に遮断するための放電素子と、
前記補助容量素子の他端の電位を保持するための第２の容量素子とをさらに含む
ことを特徴とする請求項１０に記載の画像表示装置。
【請求項１２】
各液晶表示素子がマトリクス状に配置され、
前記駆動手段は、前記液晶表示素子を線順次で表示駆動を行い、
各液晶表示素子には、
駆動対象の液晶表示素子を線順次で選択するための主ゲート線および補助ゲート線の２本のゲート線と、
駆動対象の液晶表示素子に対して前記画像データを供給するための１本のソース線と、
前記基準電位への再設定を行うための１本の基準電位線とが接続され、
前記第１のスイッチング素子は、前記駆動手段から前記主ゲート線を介して供給される主選択信号に応じて、前記ソース線と前記主容量素子および前記補助容量素子の一端同士との間を選択的に導通させるものであり、
前記第２のスイッチング素子は、前記駆動手段から前記補助ゲート線を介して供給される補助選択信号に応じて、前記ソース線に隣接する隣接ソース線と前記補助容量素子の他端との間を選択的に導通させて前記対向電位を一時的に供給するためのものであり、
前記第３のスイッチング素子は、前記駆動手段から隣接する液晶表示素子用の主ゲート線である隣接主ゲート線を介して供給される隣接主選択信号に応じて、前記基準電位線と前記補助容量素子の他端との間を選択的に導通させて前記基準電位を供給するためのものであり、
前記液晶表示素子は、前記補助容量素子の他端の電位を保持するための容量素子をさらに含む
ことを特徴とする請求項１０に記載の画像表示装置。
【請求項１３】
各液晶表示素子がマトリクス状に配置され、
前記駆動手段は、前記液晶表示素子を線順次で表示駆動を行い、
各液晶表示素子には、
駆動対象の液晶表示素子を線順次で選択するための主ゲート線および補助ゲート線の２本のゲート線と、
駆動対象の液晶表示素子に対して前記画像データを供給するための１本のソース線と、
前記基準電位への再設定を行うための１本の基準電位線とが接続され、
前記第１のスイッチング素子は、前記駆動手段から前記主ゲート線を介して供給される主選択信号に応じて、前記ソース線と前記主容量素子および前記補助容量素子の一端同士との間を選択的に導通させるものであり、
前記第２のスイッチング素子は、前記主選択信号に応じて、前記ソース線に隣接する隣接ソース線と前記補助容量素子の他端との間を選択的に導通させて前記対向電位を一時的に供給するためのものであり、
前記第３のスイッチング素子は、前記駆動手段から前記補助ゲート線を介して供給される補助選択信号に応じて、前記基準電位線と前記補助容量素子の他端との間を選択的に導通させて前記基準電位を供給するためのものであり、
前記液晶表示素子は、
前記第２のスイッチング素子に対して前記主選択信号をパルス状に供給させるための第１の容量素子と、
前記第２のスイッチング素子をオフ状態として前記隣接ソース線と前記補助容量素子の他端との間を選択的に遮断するための放電素子とをさらに含む
ことを特徴とする請求項１０に記載の画像表示装置。
【請求項１４】
各液晶表示素子がマトリクス状に配置され、
前記駆動手段は、前記液晶表示素子を線順次で表示駆動を行い、
各液晶表示素子には、
駆動対象の液晶表示素子を線順次で選択するための１本のゲート線と、
駆動対象の液晶表示素子に対して前記画像データを供給するための主ソース線および補助ソース線の２本のソース線と、
前記基準電位への再設定を行うための１本の基準電位線とが接続され、
前記第１のスイッチング素子は、前記駆動手段から前記ゲート線を介して供給される選択信号に応じて、前記主ソース線と前記主容量素子および前記補助容量素子の一端同士との間を選択的に導通させるものであり、
前記第２のスイッチング素子は、前記選択信号に応じて、前記補助ソース線と前記補助容量素子の他端との間を選択的に導通させて前記対向電位を供給するためのものであり、
前記第３のスイッチング素子は、前記駆動手段から前記ゲート線に隣接する隣接ゲート線を介して供給される隣接選択信号に応じて、前記基準電位線と前記補助容量素子の他端との間を選択的に導通させて前記基準電位を供給するためのものであり、
前記液晶表示素子は、前記補助容量素子の他端の電位を保持するための容量素子をさらに含む
ことを特徴とする請求項１０に記載の画像表示装置。
【請求項１５】
各液晶表示素子がマトリクス状に配置され、
前記駆動手段は、前記液晶表示素子を線順次で表示駆動を行い、
各液晶表示素子には、
駆動対象の液晶表示素子を線順次で選択するための主ゲート線および補助ゲート線の２本のゲート線と、
駆動対象の液晶表示素子に対して前記画像データを供給するための主ソース線および補助ソース線の２本のソース線と、
前記基準電位への再設定を行うための１本の基準電位線とが接続され、
前記第１のスイッチング素子は、前記駆動手段から前記主ゲート線を介して供給される主選択信号に応じて、前記主ソース線と前記主容量素子および前記補助容量素子の一端同士との間を選択的に導通させるものであり、
前記第２のスイッチング素子は、前記主選択信号に応じて、前記補助ソース線と前記補助容量素子の他端との間を選択的に導通させて前記対向電位を供給するためのものであり、
前記第３のスイッチング素子は、前記駆動手段から前記補助ゲート線を介して供給される補助選択信号に応じて、前記基準電位線と前記補助容量素子の他端との間を選択的に導通させて前記基準電位を供給するためのものである
ことを特徴とする請求項１０に記載の画像表示装置。
【請求項１６】
一端に供給される画像データに応じて表示のための動作を行う表示要素としての主容量素子と、一端が前記主容量素子の一端に接続された補助容量素子とを各々が含むようにして構成された複数の表示素子が並んで配置され、
前記主容量素子の両端間の電圧を本来の電圧値よりも大きくするような電位である対向電位が、前記補助容量素子の他端に補助容量素子単位で供給される
ことを特徴とする表示パネル。
【請求項１７】
一端に供給される画像データに応じて表示のための動作を行う表示要素としての主容量素子と、一端が前記主容量素子の一端に接続された補助容量素子とを各々が含むようにして構成された複数の表示素子を備える画像表示装置に適用される駆動方法であって、
各表示素子の表示駆動の際に、
前記主容量素子および前記補助容量素子の一端同士に対して前記画像データを供給し、
前記画像データの供給開始タイミングに同期して、前記主容量素子の両端間の電圧が本来の電圧値よりも大きくなるような電位である対向電位を前記補助容量素子の他端に補助容量素子単位で供給し、
前記画像データの供給終了後に、前記補助容量素子の他端を所定の基準電位に再設定する
ことを特徴とする画像表示装置の駆動方法。
【発明の詳細な説明】
【技術分野】
【０００１】
本発明は、補助容量素子を含む表示素子を備えた表示パネルおよび画像表示装置、ならびにそのような画像表示装置の駆動方法に関する。
【背景技術】
【０００２】
近年、液晶を用いた表示素子を駆動することによって映像表示を行う画像表示装置（液晶表示装置）が広く活用されている。このような液晶表示装置では、ガラス等の基板間に封止した液晶層において、液晶分子の配列を変化させることにより光源からの光を透過、変調させて表示を行っている。
【０００３】
また、このような液晶表示装置では、各画素に、液晶への印加電圧を安定化させるための補助容量素子が形成されるようになっている（例えば、特許文献１）。
【０００４】
【特許文献１】特開２００３−３３００４４号公報
【発明の開示】
【発明が解決しようとする課題】
【０００５】
ところで、液晶表示装置において、駆動素子の耐圧よりも大きな電圧（過電圧）を表示素子に印加することが望まれる場合がある。例えば、液晶表示装置には液晶層を構成する液晶材料によって様々な表示モードがあるが、広視野角を実現できる垂直配向型液晶を用いたＶＡ（Vertical Alignment）モードの液晶表示装置では、黒表示状態から白表示状態へ遷移させる際に、過電圧を印加して応答速度を上げることが考えられる。というのも、このような遷移の際に、液晶の配向方向の変化によって液晶の容量成分が大きくなり、応答速度が遅くなってしまうからである。ただし、駆動素子の耐圧よりも高い電圧を印加することはできないことから、電源電圧および駆動素子の耐圧自体を本来よりも高く設定しなければならず、消費電力が増加したり、発熱量が増えて駆動素子の信頼性が低下してしまうなどの問題が生じてしまうことになる。
【０００６】
そこで、上記特許文献１に記載されている方法を用いて、電源電圧や駆動素子の耐圧を上げることなく、過電圧を印加できるようにすることが考えられる。具体的には、補助容量素子の一方の電極側（ＴＦＴ（Thin Film Transistor：薄膜トランジスタ）とは反対の電極側）に、走査ラインごとに共通のバスラインを設け、このバスラインに表示領域外のスイッチ素子を介して電位を供給することにより、補助容量素子への印加電圧を大きくし、液晶素子への印加電圧も過電圧とすることが考えられる。
【０００７】
ところが、この方法では走査ライン単位で一括して電圧を供給するため、過電圧が不要な画素（黒表示状態から白表示状態へ遷移する画素以外のもの）に対しても一律に過電圧が印加されてしまうことになる。したがって、そのような画素においては映像信号に基づく本来の画素電圧よりも大きな電圧が印加されるため（データ化けが生じてしまうため）、本来よりも輝度が高くなってしまう。よって、表示領域内での輝度ばらつきが生じ、表示画質が低下してしまうことになる。
【０００８】
このように従来の技術では、表示画質の低下を生じさせることなく、表示素子に本来の電圧よりも高い電圧を印加させるのが困難であった。
【０００９】
本発明はかかる問題点に鑑みてなされたもので、その目的は、表示画質の低下を生じさせることなく、表示素子に本来の電圧よりも高い電圧を印加させることが可能な画像表示装置、表示パネルおよび画像表示装置の駆動方法を提供することにある。
【課題を解決するための手段】
【００１０】
本発明の画像表示装置は、複数の表示素子と、駆動手段とを備えたものである。ここで、上記複数の表示素子は、一端に供給される画像データに応じて表示のための動作を行う表示要素としての主容量素子と、一端が主容量素子の一端に接続された補助容量素子とを各々が含むようにして構成されたものである。また、上記駆動手段は、主容量素子の両端間の電圧が本来の電圧値よりも大きくなるような電位である対向電位を補助容量素子の他端に補助容量素子単位で供給しつつ、各表示素子の表示駆動を行うものである。
【００１１】
本発明の表示パネルは、一端に供給される画像データに応じて表示のための動作を行う表示要素としての主容量素子と、一端が主容量素子の一端に接続された補助容量素子とを各々が含むようにして構成された複数の表示素子が並んで配置されると共に、上記主容量素子の両端間の電圧を本来の電圧値よりも大きくするような電位である対向電位が、補助容量素子の他端に補助容量素子単位で供給されるようにしたものである。
【００１２】
本発明の画像表示装置および表示パネルでは、各表示素子の表示駆動の際に補助容量素子の他端に上記対向電位が供給されるため、各表示素子において、主容量素子の両端間の電圧が、本来の電圧値よりも高くなる。また、このような対向電位が補助容量素子単位で供給されるため、補助容量素子の他端側に走査ライン単位で一括して電力供給がなされる従来とは異なり、補助容量素子単位、すなわち表示素子単位での適応的な電力供給が可能となる。なお、「本来の電圧値」とは、映像信号に基づく画素電圧値を意味するものであり、言い換えると、注目画素に設定された輝度レベルを表現するための電圧値を意味するものである。
【００１３】
本発明の画像表示装置では、上記駆動手段が、上記対向電位として、主容量素子の両端間の電圧と逆極性の電位を補助容量素子単位で供給するようにしてもよい。このように構成した場合、補助容量素子の他端に主容量素子の両端間の電圧と逆極性の電位が供給されるため、この主容量素子の両端間の電圧が、本来の電圧値よりも高くなり得る。
【００１４】
本発明の画像表示装置では、上記駆動手段が、各表示素子へ供給される画像データに応じて、上記対向電位を補助容量素子単位で変化させるようにしてもよい。このように構成した場合、画像データに応じて各表示素子内の補助容量素子の他端に上記対向電位が供給されるため、表示映像に応じて、表示素子単位での適応的な電力供給が可能となる。
【００１５】
本発明の画像表示装置では、上記主容量素子が液晶層を含んで構成されるようにすると共に上記表示素子を液晶表示素子としてもよい。また、この場合において、上記液晶層を垂直配向（ＶＡ）モードの液晶としてもよい。このように構成した場合、液晶層を含む主容量素子の両端間の電圧が本来の電圧値よりも高くなるため、主容量素子の応答速度が向上する。また、補助容量素子単位で上記対向電位が供給されるため、液晶表示素子単位での応答速度の制御が可能となる。さらに、この場合において、上記駆動手段が、黒表示状態から白表示状態へ遷移する液晶表示素子に対し、主容量素子の両端間の電圧が選択的に大きくなるように上記対向電位を補助容量素子単位で変化させるようにするのが好ましい。このように構成した場合、電圧印加の際のＶＡモード液晶の容量変化に起因して特に応答速度の改善が必要とされる、黒表示状態から白表示状態へ遷移する液晶表示素子において、主容量素子の両端間の電圧が選択的に高く設定される。したがって、液晶表示素子単位での選択的な動画応答特性の改善が可能となる。
【００１６】
本発明の画像表示装置の駆動方法は、一端に供給される画像データに応じて表示のための動作を行う表示要素としての主容量素子と、一端が前記主容量素子の一端に接続された補助容量素子とを各々が含むようにして構成された複数の表示素子を備える画像表示装置に適用されるものであって、各表示素子の表示駆動の際に、主容量素子および補助容量素子の一端同士に対して画像データを供給し、画像データの供給開始タイミングに同期して、主容量素子の両端間の電圧が本来の電圧値よりも大きくなるような電位である対向電位を補助容量素子の他端に補助容量素子単位で供給し、画像データの供給終了後に補助容量素子の他端を所定の基準電位に再設定するようにしたものである。
【００１７】
本発明の画像表示装置の駆動方法では、各表示素子の表示駆動の際に、主容量素子および補助容量素子の一端同士に対して画像データが供給される。また、この画像データの供給開始タイミングに同期して、上記対向電位が補助容量素子の他端に補助容量素子単位で供給される。そして上記画像データの供給終了後に、補助容量素子の他端が所定の基準電位に再設定される。これにより、各表示素子において、主容量素子の両端間の電圧が、本来の電圧値よりも高くなる。また、このような対向電位が補助容量素子単位で供給されるため、補助容量素子の他端側に走査ライン単位で一括して電力供給がなされる従来とは異なり、補助容量素子単位、すなわち表示素子単位での適応的な電力供給が可能となる。
【発明の効果】
【００１８】
本発明の画像表示装置または表示パネルによれば、各表示素子の表示駆動の際に補助容量素子の他端に上記対向電位を供給すると共に、この対向電位を補助容量素子単位で供給するようにしたので、各表示素子において、主容量素子の両端間の電圧を本来の電圧値よりも高くすることができると共に、表示素子単位での適応的な電力供給が可能となる。よって、表示素子間での表示ばらつきなどの表示画質の低下を生じさせることなく、表示素子に本来の電圧よりも高い電圧を印加させることが可能となる。
【００１９】
また、本発明の画像表示装置の駆動方法によれば、各表示素子の表示駆動の際に、主容量素子および補助容量素子の一端同士に対して画像データを供給すると共に、この画像データの供給開始タイミングに同期して上記対向電位を補助容量素子の他端に補助容量素子単位で供給し、上記画像データの供給終了後に補助容量素子の他端を所定の基準電位に再設定するようにしたので、各表示素子において、主容量素子の両端間の電圧を本来の電圧値よりも高くすることができると共に、表示素子単位での適応的な電力供給が可能となる。よって、表示素子間での表示ばらつきなどの表示画質の低下を生じさせることなく、表示素子に本来の電圧よりも高い電圧を印加させることが可能となる。
【発明を実施するための最良の形態】
【００２０】
以下、本発明の実施の形態について、図面を参照して詳細に説明する。
【００２１】
図１は、本発明の一実施の形態に係る表示パネル（後述する液晶表示パネル２）を備えた画像表示装置（液晶表示装置１）の全体構成を表すものである。この液晶表示装置１は、液晶表示パネル２と、バックライト部３と、画像処理部４１と、フレームメモリ４２と、ソースドライバ５１およびゲートドライバ５２と、タイミング制御部６１と、バックライト制御部６３とを備えている。なお、本実施の形態に係る画像表示装置の駆動方法は、本実施の形態の液晶表示装置によって具現化されるので、以下併せて説明する。
【００２２】
液晶表示パネル２は、後述するソースドライバ５１およびゲートドライバ５２から供給される駆動信号によって映像信号Ｄinに基づく映像表示を行うものであり、マトリクス状に並んで配置された複数の画素２０を含んで構成されている。また、各画素２０内には、後述する画素回路ユニット（図２参照）が形成されている。なお、この画素回路ユニットの詳細構成については、後述する。
【００２３】
バックライト部３は、液晶表示パネル２に対して光を照射する光源であり、例えばＣＣＦＬ（Cold Cathode Fluorescent Lamp：冷陰極蛍光ランプ）やＬＥＤ（Light Emitting Diode：発光ダイオード）などを含んで構成される。
【００２４】
画像処理部４１は、外部からの映像信号Ｄin（輝度信号）に対して所定の画像処理を施すことにより、ＲＧＢ信号である映像信号Ｄ１ｃを生成するものである。
【００２５】
フレームメモリ４２は、画像処理部４１から供給される映像信号Ｄ１ｃを、フレーム単位で画素ごとに記憶するものである。
【００２６】
ゲートドライバ５２は、タイミング制御部６１によるタイミング制御に従って、液晶表示パネル２内の各画素２０を図示しない走査線に沿って線順次駆動するものである。また、ソースドライバ５１は、液晶表示パネル２の各画素２０へそれぞれ、現在のフレームの映像信号Ｄ１ｃおよびフレームメモリに記憶されている１フレーム前（直前）の映像信号Ｄ１ｐに基づく駆動電圧を供給するものであり、Ｄ／Ａ（ディジタル／アナログ）変換部５１１と、演算部５１２と、電源部５１３と、補助容量電圧生成部５１４と、駆動部５１５とを有している。
【００２７】
Ｄ／Ａ変換部５１１は、画像処理部４１から供給される現在のフレームの映像信号Ｄ１ｃに対してＤ／Ａ変換を施すことにより、アナログ信号である映像信号Ｄoutを駆動部５１５へ出力するものである。なお、このＤ／Ａ変換部５１１は、例えば複数の抵抗器が直列接続された抵抗ツリー構造などにより構成される。
【００２８】
演算部５１２は、画像処理部４１から供給される現在のフレームの映像信号Ｄ１ｃおよびフレームメモリに記憶されている１フレーム前（直前）の映像信号Ｄ１ｐに基づき、例えば図３に示した表に規定される所定の演算を行うことにより、２ビットの選択信号ＤＣＳを生成・出力するものである。この演算部５１２はまた、フレームメモリに記憶されている１フレーム前（直前）の映像信号Ｄ１ｐに基づき、その映像信号Ｄ１ｐにおける信号の極性（正極性または負極性）を画素ごとに検出し、その極性を表す画素ごとの極性信号Ｄｐｍを出力するようになっている。なお、この演算部５１２による信号生成動作の詳細については、後述する。
【００２９】
電源部５１３は、図示しない所定の電圧回路を含んで構成されており、これにより３つの基準電圧Ｖｃｓ，Ｖｃｓｐ，Ｖｃｓｎを生成・出力するものである。
【００３０】
補助容量電圧生成部５１４は、電源部５１３から供給される基準電圧Ｖｃｓ，Ｖｃｓｐ，Ｖｃｓｎに基づいて、例えば図４および図５に示した７種類の補助容量電圧（後述する補助容量素子Ｃｓの対向電極側に供給される電圧）を生成すると共に、演算部５１２から供給される選択信号ＤＣＳおよび極性信号Ｄｐｍに基づいて、それら７種類の補助容量電圧のうちから１つの電圧を選択し、補助容量電圧Ｖoutとして駆動部５１５へ出力するものである。なお、このような補助容量電圧生成部５１４による電圧生成・出力動作は、タイミング制御部６１から供給されるイネーブル信号ＥＮによって、有効（動作状態）および無効（非動作状態）が切り替えられるようになっている。補助容量電圧生成部５１４による電圧生成・出力動作の詳細については、後述する。
【００３１】
駆動部５１５は、Ｄ／Ａ変換部５１１から供給される映像信号Ｄinに基づく映像内容を示す映像信号Ｄout、および補助容量電圧生成部５１４から供給される補助容量電圧Ｖoutのうちの一方を、後述する所定のタイミングで選択的に出力し、各画素２０内の画素回路ユニットを駆動するものである。
【００３２】
タイミング制御部（タイミング・ジェネレータ）６１は、ソースドライバ５１、ゲートドライバ５２およびバックライト駆動部６２の駆動タイミングを制御するものである。また、バックライト駆動部６２は、タイミング制御部６１によるタイミング制御に従って、バックライト部３の点灯動作を制御するものである。
【００３３】
次に図２を参照して、各画素２０に形成された画素回路ユニット（液晶表示素子）の構成について詳細に説明する。図２は、この画素２０内の画素回路ユニットの回路構成例を表したものである。なお、図中の符号ｍ，ｎはそれぞれ自然数を表しており、画素２０（ｍ，ｎ）は、複数の画素２０のうちの座標（ｍ，ｎ）に位置する画素を表している。
【００３４】
画素２０（ｍ，ｎ）には、主容量素子である液晶素子ＬＣと、補助容量素子Ｃｓと、薄膜トランジスタ（ＴＦＴ：Thin Film Transistor）素子Ｑ１と、スイッチング素子として機能するトランジスタＱ２，Ｑ３と、ダイオードとして機能するトランジスタ（ダイオード）Ｄ１と、容量素子Ｃ１，Ｃ２とからなる画素回路ユニットが形成されている。また、この画素２０（ｍ，ｎ）には、駆動対象の画素回路ユニットを線順次で選択するための１本のゲート線Ｇ（ｎ）と、駆動対象の画素回路ユニットに対して画像データ（映像信号Ｄout）を供給する１本のソース線Ｓ（ｍ）と、後述する補助容量素子Ｃｓの対向電極側に対して所定の基準電位Ｖｃｓを供給するためのバスラインである１本の補助容量線Ｃｓ（ｎ）とが接続されている。なお、画素２０（ｍ，ｎ）に対してソース線Ｓ（ｍ）に沿って隣接する画素２０（ｍ，ｎ＋１）には、ＴＦＴ素子Ｑ１’が含まれると共に、１本のゲート線Ｇ（ｎ＋１）と、１本のソース線Ｓ（ｍ）と、図示しない１本の補助容量線Ｃｓ（ｎ＋１）とが接続されている。また、画素２０（ｍ，ｎ）に対してゲート線Ｇ（ｎ）に沿って隣接する画素２０（ｍ＋１，ｎ）には、ＴＦＴ素子Ｑ１”が含まれると共に、１本のゲート線Ｇ（ｎ）と、１本のソース線Ｓ（ｍ＋１）と、１本の補助容量線Ｃｓ（ｎ）とが接続されている。
【００３５】
液晶素子ＬＣは、ソース線Ｓ（ｍ）からＴＦＴ素子Ｑ１を介して一端に供給される映像信号Ｄoutに応じて表示のための動作を行う（表示光を射出する）表示要素として機能しており、図示しない液晶層と、この液晶層を挟む一対の電極とを含んで構成されている。これら一対の電極のうちの一方（一端）側は接続線Ｌ１を介してＴＦＴ素子Ｑ１のソースおよび補助容量素子Ｃｓの一端に接続され、他方（他端）側はコモン電極ＶＣＯＭに接続されている。なお、上記液晶層は、例えばＶＡ（Vertical Alignment：垂直配向）モードの液晶により構成されるが、例えばＴＮ（Twisted Nematic）モードの液晶により構成してもよい。
【００３６】
補助容量素子Ｃｓは、液晶素子ＬＣの蓄積電荷を安定化させるための容量素子であり、一端（一方の電極）が接続線Ｌ１を介して液晶素子ＬＣの一端およびＴＦＴ素子Ｑ１のソースに接続されると共に、他端（対向電極）が、接続線Ｌ２を介してトランジスタＱ２のドレイン、トランジスタＱ３のドレインおよび容量素子Ｃ２の一端に接続されている。なお、この補助容量素子Ｃｓの対向電極は、容量素子Ｃ２を介して補助容量線Ｃｓ（ｎ）に接続されるようになっている。
【００３７】
ＴＦＴ素子Ｑ１はＭＯＳ−ＦＥＴ（Metal Oxide Semiconductor−Field Effect Transistor）により構成されており、ゲートがゲート線Ｇ（ｎ）に接続され、ソースが接続線Ｌ１を介して液晶素子ＬＣの一端および補助容量素子Ｃｓの一端に接続され、ドレインがソース線Ｓ（ｍ）に接続されている。このＴＦＴ素子Ｑ１は、液晶素子ＬＣの一端および補助容量素子Ｃｓの一端に対して映像信号Ｄoutを供給するためのスイッチング素子として機能している。具体的には、ゲートドライバ５２からゲート線Ｇ（ｎ）を介して供給される選択信号に応じて、ソース線Ｓ（ｍ）と画素２０（ｍ，ｎ）内の液晶素子ＬＣおよび補助容量素子Ｃｓの一端同士との間を選択的に導通させるようになっている。
【００３８】
なお、同様にＴＦＴ素子Ｑ１’もＭＯＳ−ＦＥＴにより構成されており、ゲートがゲート線Ｇ（ｎ＋１）に接続され、ソースが画素２０（ｍ，ｎ＋１）内の液晶素子ＬＣおよび補助容量素子Ｃｓの一端同士に接続され、ドレインがソース線Ｓ（ｍ）に接続されている。これによりＴＦＴ素子Ｑ１’は、ゲートドライバ５２からゲート線Ｇ（ｎ＋１）を介して供給される選択信号に応じて、ソース線Ｓ（ｍ）と画素２０（ｍ，ｎ＋１）内の液晶素子ＬＣおよび補助容量素子Ｃｓの一端同士との間を選択的に導通させるようになっている。また、ＴＦＴ素子Ｑ１”もＭＯＳ−ＦＥＴにより構成されており、ゲートがゲート線Ｇ（ｎ）に接続され、ソースが画素２０（ｍ＋１，ｎ）内の液晶素子ＬＣおよび補助容量素子Ｃｓの一端同士に接続され、ドレインがソース線Ｓ（ｍ＋１）に接続されている。これによりＴＦＴ素子Ｑ１”は、ゲートドライバ５２からゲート線Ｇ（ｎ）を介して供給される選択信号に応じて、ソース線Ｓ（ｍ＋１）と画素２０（ｍ＋１，ｎ）内の液晶素子ＬＣおよび補助容量素子Ｃｓの一端同士との間を選択的に導通させるようになっている。
【００３９】
トランジスタＱ２もＭＯＳ−ＦＥＴにより構成されており、ゲートが接続線Ｌ３を介して容量素子Ｃ１の一端ならびにトランジスタＤ１のゲートおよびドレインに接続され、ソースがソース線（ｍ＋１）に接続され、ドレインが接続線Ｌ２を介して補助容量素子Ｃｓの対向電極、容量素子Ｃ２の一端およびトランジスタＱ３のドレインに接続されている。このトランジスタＱ２は、ＴＦＴ素子Ｑ１による映像信号Ｄoutの供給タイミングに同期して、補助容量素子Ｃｓの対向電極に補助容量電圧Ｖout（対向電位）を供給するためのスイッチング素子として機能している。具体的には、ゲートドライバ５２からゲート線Ｇ（ｎ）を介して供給される選択信号に応じて、ソース線（隣接ソース線）Ｓ（ｍ＋１）と画素２０（ｍ，ｎ）内の補助容量素子Ｃｓの対向電極との間を選択的に導通させ、この対向電極に補助容量電圧Ｖoutを一時的に供給するようになっている。
【００４０】
トランジスタＱ３もＭＯＳ−ＦＥＴにより構成されており、ゲートがゲート線（隣接ゲート線）Ｇ（ｎ＋１）に接続され、ソースが補助容量線Ｃｓ（ｎ）に接続され、ドレインが接続線Ｌ２を介して補助容量素子Ｃｓの対向電極、容量素子Ｃ２の一端およびトランジスタＱ２のドレインに接続されている。このトランジスタＱ３は、ＴＦＴ素子Ｑ１による映像信号Ｄoutの供給終了後に、補助容量素子Ｃｓの対向電極を所定の基準電位Ｖｃｓに再設定するためのスイッチング素子として機能している。具体的には、ゲートドライバ５２からゲート線Ｇ（ｎ＋１）を介して供給される選択信号に応じて、補助容量線Ｃｓ（ｎ）と補助容量素子Ｃｓの対向電極との間を選択的に導通させ、この対向電極に基準電位Ｖｃｓを供給するようになっている。
【００４１】
トランジスタ（ダイオード）Ｄ１もＭＯＳ−ＦＥＴにより構成されており、ゲートおよびドレインが互いに接続線Ｌ３を介してトランジスタＱ２のゲートおよび容量素子Ｃ１の一端に接続され、ソースが補助容量線Ｃｓ（ｎ）に接続されている。このトランジスタＤ１は、トランジスタＱ２をオフ状態としてソース線Ｓ（ｍ＋１）と補助容量素子Ｃｓの対向電極との間を選択的に遮断するための放電素子（放電用ダイオード）として機能するものであり、ゲートおよびドレインがアノードとして機能すると共にソースがカソードとして機能するようになっている。なお、このような放電素子として、ダイオードＤ１の代わりに抵抗素子を用いるようにしてもよい。
【００４２】
容量素子Ｃ１は、一端が接続線Ｌ３を介してトランジスタＱ２のゲートならびにトランジスタＤ１のゲートおよびドレインに接続され、他端がゲート線Ｇ（ｎ）に接続されている。この容量素子Ｃ１は、ゲート線Ｇ（ｎ）から供給される選択信号を電荷として蓄積することにより、トランジスタＱ２のゲートに対して選択信号をパルス状に供給するようになっている。
【００４３】
容量素子Ｃ２は、一端が接続線Ｌ２を介して補助容量素子Ｃｓの対向電極、トランジスタＱ２のドレインおよびトランジスタＱ３のドレインと接続され、他端が補助容量線Ｃｓ（ｎ）に接続されている。この容量素子Ｃ２は、補助容量素子Ｃｓの対向電極の電位を保持するための容量素子であり、これにより補助容量素子Ｃｓの両端間の電圧を安定化させるようになっている。
【００４４】
ここで、上記画素回路ユニットが本発明における「表示素子」および「液晶表示素子」の一具体例に対応し、ソースドライバ５１およびゲートドライバ５２が本発明における「駆動手段」の一具体例に対応する。また、液晶素子ＬＣが、本発明における「主容量素子」および「表示要素」の一具体例に対応する。また、スイッチング素子Ｑ１が本発明における「第１のスイッチング素子」の一具体例に対応し、スイッチング素子Ｑ２が本発明における「第２のスイッチング素子」の一具体例に対応し、スイッチング素子Ｑ３が本発明における「第３のスイッチング素子」の一具体例に対応する。また、容量素子Ｃ１が本発明における「第１の容量素子」の一具体例に対応し、容量素子Ｃ２が本発明における「第２の容量素子」の一具体例に対応する。また、ゲート線Ｇ（ｎ）が本発明における「１本のゲート線」の一具体例に対応し、ゲート線Ｇ（ｎ＋１）が本発明における「隣接ゲート線」の一具体例に対応し、ソース線Ｓ（ｍ）が本発明における「１本のソース線」の一具体例に対応し、ソース線Ｓ（ｍ＋１）が本発明における「隣接ソース線」の一具体例に対応し、補助容量線Ｃｓ（ｎ）が本発明における「１本の基準電位線」の一具体例に対応する。
【００４５】
次に、このような構成からなる本実施の形態の液晶表示装置１の動作について、詳細に説明する。
【００４６】
まず、図１および図３〜図５を参照して、液晶表示装置１の全体動作について説明する。
【００４７】
この液晶表示装置１では、図１に示したように、外部から供給された映像信号Ｄinが画像処理部４により画像処理がなされ、液晶表示パネル２内の各画素２０用の映像信号Ｄ１ｃが生成される。また、生成された映像信号Ｄ１ｃは、そのまま現在のフレームの映像信号Ｄ１ｃとしてソースドライバ５１へ供給されると共に、フレームメモリ４２において１フレーム分記憶され、直前のフレームの映像信号Ｄ１ｐとしてソースドライバ５１へ供給される。そしてこれら映像信号１ｃ，Ｄ１ｐに基づいてゲートドライバ５２およびソースドライバ５１から出力される各画素２０内への駆動電圧（画素印加電圧）によって、各画素２０に対する線順次表示駆動動作がなされ、これによりバックライト部３からの照明光が液晶表示パネル２により変調され、表示光として液晶表示パネル２から出力される。このようにして、映像信号Ｄinに基づく表示光により、映像表示がなされる。
【００４８】
ここで、ソースドライバ５１では、Ｄ／Ａ変換部５１１によって、現在のフレームの映像信号Ｄ１ｃに対してＤ／Ａ変換が施され、これによりアナログ信号である映像信号Ｄoutが駆動部５１５へ出力される。
【００４９】
一方、演算部５１２では、画像処理部４１から供給される現在のフレームの映像信号Ｄ１ｃおよびフレームメモリに記憶されている１フレーム前（直前）の映像信号Ｄ１ｐに基づき、例えば図３に示した表に規定される所定の演算を行うことにより、２ビットの選択信号ＤＣＳが生成される。具体的には、現在のフレームの映像信号Ｄ１ｃと直前の映像信号Ｄ１ｐとの輝度レベル差が所定の閾値以上の画素回路ユニット（液晶表示素子）に対して、選択的にＤＣＳ＝「０１」，「１０」，「１１」とすると共に、輝度レベル差が閾値未満の液晶表示素子に対して、選択的に選択信号ＤＣＳ＝「００」とする。より具体的には、液晶がＶＡモードの液晶である場合において、図３に示したように、黒表示状態（例えば、輝度レベル＝（０／６３）ＩＲＥ付近の表示状態）から白表示状態（例えば、輝度レベル＝（６３／６３）ＩＲＥ付近の表示状態）へ遷移する液晶表示素子、すなわち白表示状態と黒表示状態との輝度レベル差が所定の閾値以上の液晶表示素子に対し、選択的に選択信号ＤＣＳ＝「０１」，「１０」，「１１」とすると共に、その輝度レベル差が大きくなるのに応じて、選択信号ＤＣＳ＝「０１」からＤＣＳ＝「１０」、ＤＣＳ＝「１１」へとなるようにする。
【００５０】
また、演算部５１２では、フレームメモリに記憶されている直前の映像信号Ｄ１ｐに基づき、その映像信号Ｄ１ｐにおける信号の極性（正極性「＋」または負極性「−」）が画素ごとに検出され、これにより極性を表す画素ごとの極性信号Ｄｐｍが出力される。
【００５１】
一方、補助容量電圧生成部５１４では、電源部５１３から供給される基準電圧Ｖｃｓ，Ｖｃｓｐ，Ｖｃｓｎに基づいて、例えば図４および図５に示した７種類の補助容量電圧が生成されると共に、演算部５１２から供給される選択信号ＤＣＳおよび極性信号Ｄｐｍに基づいて、それら７種類の補助容量電圧のうちから１つの電圧が選択され、これにより選択された電圧が補助容量電圧Ｖoutとして駆動部５１５へ出力される。具体的には、まず、極性信号Ｄｐｍが正極性のとき（Ｄｐｍ＝「＋」のとき）には正極性の補助容量電圧Ｖoutが選択されると共に、極性信号Ｄｐｍが負極性のとき（Ｄｐｍ＝「−」のとき）には負極性の補助容量電圧Ｖoutが選択され、またドット反転駆動動作がなされていることにより、ある画素２０内の画素回路ユニットにおいて、映像データＤout（液晶素子ＬＣの両端間の電圧）と逆極性の補助容量電圧Ｖoutが補助容量素子Ｃｓの対向電極に供給され、これにより液晶素子ＬＣの両端間の電圧が映像データＤoutに基づく本来の電圧値よりも高くなるようにする。また、選択信号ＤＣＳ＝「０１」，「１０」，「１１」である画素回路ユニット（白表示状態と黒表示状態との輝度レベル差が所定の閾値以上の画素回路ユニット）に対し、選択的に補助容量電圧Ｖoutが基準電圧Ｖｃｓよりも大きくなるように選択されると共に、選択信号ＤＣＳ＝「００」である画素回路ユニットに対し、補助容量電圧Ｖoutが基準電圧Ｖｃｓとなるように選択される。さらに、選択信号ＤＣＳ＝「０１」からＤＣＳ＝「１０」、ＤＣＳ＝「１１」へとなるのに応じて（白表示状態と黒表示状態との輝度レベル差が大きくなるのに応じて）、補助容量電圧Ｖoutの絶対値が選択的に大きくなるように選択される。
【００５２】
そして駆動部５１５では、Ｄ／Ａ変換部５１１から供給される映像信号Ｄinに基づく映像内容を示す映像信号Ｄout、および補助容量電圧生成部５１４から供給される補助容量電圧Ｖoutのうちの一方が、以下説明する所定のタイミングで選択的に出力され、これにより各画素２０内の画素回路ユニットが線順次かつドット反転で駆動される。
【００５３】
次に、図１，図３〜図５に加えて図２，図６〜図１１を参照して、本実施の形態の画像表示装置１の駆動動作について詳細に説明する。ここで、図６は、本実施の形態の画素回路ユニットの駆動動作をタイミング波形図で表したものであり、（Ａ），（Ｆ）はそれぞれ、ゲート線Ｇ（ｎ），Ｇ（ｎ＋１）の電位ＶＧ（ｎ），ＶＧ（ｎ＋１）（ゲートドライバ５２から供給される選択信号を示している）を、（Ｂ），（Ｃ）はそれぞれ、ソース線Ｓ（ｍ），Ｓ（ｍ＋１）の電位ＶＳ（ｍ），ＶＳ（ｍ＋１）（ソースドライバ５１から供給される映像信号Ｄoutを示している）を、（Ｄ）は接続線Ｌ３の電位ＶＬ３を、（Ｅ）は接続線Ｌ２の電位ＶＬ２を、それぞれ表している。また、図７〜図１１は、図６に示した画素回路ユニットの駆動動作を説明するための各状態図であり、便宜的にＴＦＴ素子Ｑ１およびトランジスタＱ２，Ｑ３をスイッチにより表すと共に、トランジスタＤ１をダイオードにより表している。
【００５４】
図２に示した画素２０（ｎ，ｍ）内の画素回路ユニットでは、例えば図６に示したように、いわゆるドット反転駆動動作がなされる。具体的には、まずタイミングｔ０において、駆動部５１５からソース線Ｓ（ｍ）を介して画素２０（ｍ，ｎ）用の映像信号Ｄoutが供給され始める（図６（Ｂ））と共に、駆動部５１５からソース線Ｓ（ｍ＋１）を介して画素２０（ｍ，ｎ）用の補助容量電圧Ｖoutが供給され始める（図６（Ｃ））。
【００５５】
次に、タイミングｔ１において、ゲートドライバ５２からゲート線Ｇ（ｎ）を介して画素２０（ｍ，ｎ）用の選択信号が供給開始となり、ゲート線Ｇ（ｎ）にパルス状の電位が発生する（図６（Ａ））。これによりＴＦＴ素子Ｑ１，Ｑ１”がオン状態となり、例えば図７に示したように、映像信号Ｄoutに基づく電流Ｉが流れ、液晶素子ＬＣおよび補助容量素子Ｃｓの一端同士に電荷が蓄積される（画像データが供給される）。また、このとき例えば図７に示したように、容量素子Ｃ１にもゲート線Ｇ（ｎ）を介して電流Ｉ２が供給され、これにより接続線Ｌ３の電位ＶＬ３もパルス状に発生する（図６（Ｄ））。したがって、トランジスタＱ２もオン状態となり、図７に示したように、駆動部５１５からソース線Ｓ（ｍ＋１）を介して補助容量電圧Ｖoutに基づく電流Ｉ３が容量素子Ｃ２に蓄積され、これにより図６中の矢印Ｐ２で示したように、補助容量素子Ｃｓの対向電極に、液晶素子ＬＣの両端間の電圧（ソース線Ｓ（ｍ）の電圧ＶＳ（ｍ））と逆極性（負極性）の電位が供給される。よって、図６中の矢印Ｐ３で示したように、液晶素子ＬＣの両端間の電圧（ソース線Ｓ（ｍ）の電圧ＶＳ（ｍ））が、映像信号Ｄoutに基づく本来の電圧値よりも高くなり、その結果、液晶素子ＬＣの応答速度も高まる。
【００５６】
次に、例えば図８中の電流Ｉ４で示したように、容量素子Ｃ１に蓄積された電荷量が大きくなると、ダイオードＤ１が導通するようになり、容量素子Ｃ１における蓄積電荷が放電され、これにより接続線Ｌ３の電位ＶＬ３が半値幅Δｔ（＝約１〜２μｓ）で元に戻る（図６（Ｄ））。したがって、図８に示したように、トランジスタＱ２がオフ状態となり、補助容量素子Ｃｓの対向電極に対する補助容量電圧Ｖoutの供給が終了となる。
【００５７】
次に、タイミングｔ３において、例えば図９中の電流Ｉ５に示したように、駆動部５１５からソース線Ｓ（ｍ＋１）を介して、本来の映像信号Ｄoutが隣接する画素２０（ｎ，ｍ＋１）に供給され始める（図６（Ｃ））。これにより、図６中の矢印Ｐ４で示したように、タイミングｔ４において、画素２０（ｎ，ｍ＋１）内の液晶素子ＬＣに映像信号Ｄoutに基づく本来の電圧が印加されるようになる（図６（Ｃ））。
【００５８】
次に、タイミングｔ５において、ゲートドライバ５２からゲート線Ｇ（ｎ）を介して画素２０（ｍ，ｎ）用の選択信号が供給終了となり、ゲート線Ｇ（ｎ）の電位ＶＧ（ｎ）が元に戻る（図６（Ａ））。これにより例えば図１０に示したように、ＴＦＴ素子Ｑ１，Ｑ１”がオフ状態となる。
【００５９】
次に、タイミングｔ７において、ゲートドライバ５２からゲート線Ｇ（ｎ＋１）を介して画素２０（ｍ，ｎ＋１）用の選択信号が供給開始となり、ゲート線Ｇ（ｎ＋１）にパルス状の電位が発生する（図６（Ｆ））。これによりＴＦＴ素子Ｑ１’がオン状態となり、例えば図１１中の電流Ｉ６で示したように、容量素子Ｃ２へ電流が流れる。これにより、図６中の矢印Ｐ５で示したように、接続線Ｌ２の電位（補助容量素子Ｃｓの対向電極の電位）が、タイミングｔ８までにかけて補助容量線Ｃｓ（ｎ）の基準電位Ｖｃｓに再設定される（戻される）。なお、その後はタイミングｔ９において、ゲートドライバ５２からゲート線Ｇ（ｎ＋１）を介して画素２０（ｍ，ｎ＋１）用の選択信号が供給終了となり、ゲート線Ｇ（ｎ＋１）の電位ＶＧ（ｎ＋１）が元に戻る（図６（Ｆ））。
【００６０】
このようにして本実施の形態では、液晶表示パネル２内の各画素回路ユニット（液晶表示素子）の表示駆動の際に、画素２０内の補助容量素子Ｃｓの他端（対向電極）に、補助容量電圧生成部５１４により生成される補助容量電圧Ｖoutを供給すると共に、この補助容量電圧Ｖoutを補助容量素子Ｃｓ単位で供給するようにしたので、各表示素子において、液晶素子ＬＣの両端間の電圧を映像信号Ｄoutに基づく本来の電圧値よりも高くすることができると共に、液晶表示素子単位での適応的な電力供給が可能となる。よって、液晶表示素子間での表示ばらつきなどの表示画質の低下を生じさせることなく、液晶表示素子に本来の電圧よりも高い電圧を印加させることができ、液晶素子ＬＣの応答速度を向上させることが可能となる。
【００６１】
具体的には、各液晶表示素子の表示駆動の際に、液晶素子ＬＣおよび補助容量素子Ｃｓの一端同士に対して映像信号Ｄoutを供給すると共に、この映像信号Ｄoutの供給開始タイミングに同期して補助容量電圧Ｖoutを補助容量素子Ｃｓの対向電極に補助容量素子Ｃｓ単位で供給し、映像信号Ｄoutの供給終了後に補助容量素子Ｃｓの対向電極を基準電圧Ｖｃｓに再設定するようにしたので、上記効果を得ることが可能となる。
【００６２】
また、補助容量電圧Ｖoutとして、液晶素子ＬＣの両端間の電圧と逆極性の電位を補助容量素子Ｃｓ単位で供給するようにしたので、補助容量素子Ｃｓの対向電極に液晶素子ＬＣの両端間の電圧と逆極性の電位を供給することができ、これにより液晶素子ＬＣの両端間の電圧を、本来の電圧値よりも高くすることができる。
【００６３】
また、各液晶表示素子へ供給される映像信号Ｄoutに応じて、補助容量電圧Ｖoutを補助容量素子Ｃｓ単位で変化させるようにしたので、映像信号Ｄoutに応じて各液晶表示素子内の補助容量素子Ｃｓの対向電極に上記補助容量電圧Ｖoutを供給することができ、表示映像に応じて、液晶表示素子単位での適応的な電力供給が可能となる。
【００６４】
また、現在の単位フレームと直前の単位フレームとの間の映像信号の輝度レベル差が大きくなるのに応じて、補助容量電圧Ｖoutの絶対値も大きくなるようにしたので、映像信号Ｄoutに応じてより適応的な電力供給が可能となる。
【００６５】
また、液晶素子ＬＣが垂直配向（ＶＡ）モードの液晶を含むようにすると共に、黒表示状態から白表示状態へ遷移する液晶表示素子に対し、液晶素子ＬＣの両端間の電圧が選択的に大きくなるように補助容量電圧Ｖoutを補助容量素子Ｃｓ単位で変化させるようにしたので、電圧印加の際のＶＡモード液晶の容量変化に起因して特に応答速度の改善が必要とされる、黒表示状態から白表示状態へ遷移する液晶表示素子において、液晶素子ＬＣの両端間の電圧が選択的に高く設定される。したがって、液晶表示素子単位での選択的な動画応答特性の改善が可能となる。
【００６６】
さらに、隣接する画素のソース線Ｓ（ｍ＋１）およびゲート線Ｇ（ｎ＋１）を時分割的に共用して補助容量電圧Ｖoutを供給するようにしたので、以下説明する変形例１〜４と比べ、配線部分の面積を小さくし、画素２０の開口率を高めることができる。また、従来の画素回路ユニットと比べてトランジスタＱ２，Ｑ３やダイオードＤ１、容量素子Ｃ１，Ｃ２を追加しているが、それぞれの駆動能力等が低くサイズが小さいため、これらの素子を追加しても、従来と比べて画素回路ユニットの面積にはほとんど影響はない。
【００６７】
次に、本実施の形態の変形例についていくつか説明する。なお、これらの変形例において、本実施の形態における構成要素と同一のものには同一の符号を付し、適宜説明を省略する。
【００６８】
［変形例１］
図１２は、変形例１に係る表示パネル（液晶表示パネル２Ａ）の各画素２１に形成された画素回路ユニットの回路構成を表したものであり、図１３は、本変形例に係る画素回路ユニットの駆動動作をタイミング波形図（タイミングｔ１０〜ｔ１９）で表したものである。
【００６９】
本変形例の画素２１（ｍ，ｎ）内の画素回路ユニットは、上記実施の形態の画素２０（ｍ，ｎ）内の画素回路ユニットにおいて、ゲート線をゲート線（主ゲート線）Ｇ（ｎ）および補助ゲート線Ｇ’（ｎ）の２本により構成すると共に、これにより容量素子Ｃ１およびダイオードＤ１を設けないようにしたものである。
【００７０】
具体的には、本変形例に係るトランジスタＱ２は、ゲートが接続線Ｌ４を介して補助ゲート線Ｇ’（ｎ）に接続され、ソースがソース線（ｍ＋１）に接続され、ドレインが接続線Ｌ２を介して補助容量素子Ｃｓの対向電極、容量素子Ｃ２の一端およびトランジスタＱ３のドレインに接続されている。このトランジスタＱ２は、ゲートドライバ５２から補助ゲート線Ｇ’（ｎ）を介して供給される選択信号に応じて、補助容量素子Ｃｓの対向電極に補助容量電圧Ｖout（対向電位）を一時的に供給するためのスイッチング素子として機能している。
【００７１】
このような構成により本変形例では、例えば図１３（Ｄ）に示したように、タイミングｔ１１〜ｔ１２（期間の半値幅：Δｔ）においてゲートドライバ５２からゲート線Ｇ（ｎ）を介して供給される選択信号に応じて、ソース線Ｓ（ｍ＋１）と画素２１（ｍ，ｎ）内の補助容量素子Ｃｓの対向電極との間が選択的に導通し、これにより補助容量素子Ｃｓの対向電極に補助容量電圧Ｖoutが一時的に供給される。よって、上記実施の形態と同様の作用により同様の効果を得ることが可能である。すなわち、液晶表示素子間での表示ばらつきなどの表示画質の低下を生じさせることなく、液晶表示素子に本来の電圧よりも高い電圧を印加させることができ、液晶素子ＬＣの応答速度を向上させることが可能となる。
【００７２】
また、本変形例では容量素子Ｃ１およびダイオードＤ１が不要となるため、上記実施の形態と比べ、画素回路ユニットの構成を簡素化し、面積を小さくすることができる。
【００７３】
［変形例２］
図１４は、変形例２に係る表示パネル（液晶表示パネル２Ｂ）の各画素２２に形成された画素回路ユニットの回路構成を表したものであり、図１５は、本変形例に係る画素回路ユニットの駆動動作をタイミング波形図（タイミングｔ２０〜ｔ２８）で表したものである。
【００７４】
本変形例の画素２２（ｍ，ｎ）内の画素回路ユニットは、上記実施の形態の画素２０（ｍ，ｎ）内の画素回路ユニットにおいて、ゲート線をゲート線（主ゲート線）Ｇ（ｎ）および補助ゲート線Ｇ’（ｎ）の２本により構成すると共に、これにより容量素子Ｃ２を設けないようにしたものである。
【００７５】
具体的には、本変形例に係るトランジスタＱ３は、ゲートが補助ゲート線Ｇ’（ｎ）に接続され、ソースが補助容量線Ｃｓ（ｎ）に接続され、ドレインが接続線Ｌ２を介して補助容量素子Ｃｓの対向電極およびトランジスタＱ２のドレインに接続されている。このトランジスタＱ３は、ゲートドライバ５２から補助ゲート線Ｇ’（ｎ）を介して供給される選択信号に応じて、ＴＦＴ素子Ｑ１による映像信号Ｄoutの供給終了後に、補助容量素子Ｃｓの対向電極を所定の基準電位Ｖｃｓに再設定するためのスイッチング素子として機能している。
【００７６】
このような構成により本変形例では、例えば図１５（Ｆ）に示したように、タイミングｔ２７〜ｔ２８において、ゲートドライバ５２からゲート線Ｇ’（ｎ）を介して供給される選択信号に応じて、補助容量線Ｃｓ（ｎ）と補助容量素子Ｃｓの対向電極との間が選択的に導通し、これにより図中の矢印Ｐ６で示したように、補助容量素子Ｃｓの対向電極に基準電位Ｖｃｓが供給され再設定される。よって、上記実施の形態と同様の作用により同様の効果を得ることが可能である。すなわち、液晶表示素子間での表示ばらつきなどの表示画質の低下を生じさせることなく、液晶表示素子に本来の電圧よりも高い電圧を印加させることができ、液晶素子ＬＣの応答速度を向上させることが可能となる。
【００７７】
また、本変形例では容量素子Ｃ２が不要となるため、上記実施の形態と比べ、画素回路ユニットの構成を簡素化し、面積を小さくすることができる。
【００７８】
［変形例３］
図１６は、変形例３に係る表示パネル（液晶表示パネル２Ｃ）の各画素２３に形成された画素回路ユニットの回路構成を表したものであり、図１７は、本変形例に係る画素回路ユニットの駆動動作をタイミング波形図（タイミングｔ３０〜ｔ３７）で表したものである。
【００７９】
本変形例の画素２３（ｍ，ｎ）内の画素回路ユニットは、上記実施の形態の画素２０（ｍ，ｎ）内の画素回路ユニットにおいて、ソース線をソース線（主ソース線）Ｓ（ｍ）および補助ソース線Ｓ’（ｍ）の２本により構成すると共に、これにより容量素子Ｃ１およびダイオードＤ１を設けないようにしたものである。
【００８０】
具体的には、本変形例に係るトランジスタＱ２は、ゲートが接続線Ｌ４を介してゲート線Ｇ（ｎ）に接続され、ソースが補助ソース線Ｓ’（ｍ）に接続され、ドレインが接続線Ｌ２を介して補助容量素子Ｃｓの対向電極、容量素子Ｃ２の一端およびトランジスタＱ３のドレインに接続されている。このトランジスタＱ２は、ゲートドライバ５２から補助ゲート線Ｇ（ｎ）を介して供給される選択信号に応じて、補助容量素子Ｃｓの対向電極に補助容量電圧Ｖout（対向電位）を供給するためのスイッチング素子として機能している。なお、補助ソース線Ｓ’（ｍ）を介して供給される補助容量電圧Ｖoutは、図７中の符号Ｐ７，Ｐ９，Ｐ１０に示したように、ソース線Ｓ（ｍ）を介して供給される映像信号Ｄoutと同期するようになっている。
【００８１】
このような構成により本変形例では、例えば図１７に示したように、タイミングｔ３０〜ｔ３２において、ゲートドライバ５２からゲート線Ｇ（ｎ）を介して供給される選択信号に応じて、補助ソース線Ｓ’（ｍ）と画素２３（ｍ，ｎ）内の補助容量素子Ｃｓの対向電極との間が選択的に導通し、これにより図中の矢印Ｐ７，Ｐ８で示したように、補助容量素子Ｃｓの対向電極に補助容量電圧Ｖoutが供給される。よって、上記実施の形態と同様の作用により同様の効果を得ることが可能である。すなわち、液晶表示素子間での表示ばらつきなどの表示画質の低下を生じさせることなく、液晶表示素子に本来の電圧よりも高い電圧を印加させることができ、液晶素子ＬＣの応答速度を向上させることが可能となる。
【００８２】
また、本変形例では容量素子Ｃ１およびダイオードＤ１が不要となるため、上記実施の形態と比べ、画素回路ユニットの構成を簡素化し、面積を小さくすることができる。
【００８３】
［変形例４］
図１８は、変形例４に係る表示パネル（液晶表示パネル２Ｄ）の各画素２４に形成された画素回路ユニットの回路構成を表したものであり、図１９は、本変形例に係る画素回路ユニットの駆動動作をタイミング波形図（タイミングｔ４０〜ｔ４６）で表したものである。
【００８４】
本変形例の画素２４（ｍ，ｎ）内の画素回路ユニットは、上記実施の形態の画素２０（ｍ，ｎ）内の画素回路ユニットにおいて、ゲート線をゲート線（主ゲート線）Ｇ（ｎ）および補助ゲート線Ｇ’（ｎ）の２本により構成すると共にソース線をソース線（主ソース線）Ｓ（ｍ）および補助ソース線Ｓ’（ｍ）の２本により構成し、これにより容量素子Ｃ１，Ｃ２およびダイオードＤ１を設けないようにしたものである。すなわち、本変形例は、上記変形例２，３を組み合わせたものに対応する。
【００８５】
具体的には、本変形例に係るトランジスタＱ２は、ゲートが接続線Ｌ４を介してゲート線Ｇ（ｎ）に接続され、ソースが補助ソース線Ｓ’（ｍ）に接続され、ドレインが接続線Ｌ２を介して補助容量素子Ｃｓの対向電極およびトランジスタＱ３のドレインに接続されている。このトランジスタＱ２は、ゲートドライバ５２から補助ゲート線Ｇ（ｎ）を介して供給される選択信号に応じて、補助容量素子Ｃｓの対向電極に補助容量電圧Ｖout（対向電位）を供給するためのスイッチング素子として機能している。なお、本変形例においても、補助ソース線Ｓ’（ｍ）を介して供給される補助容量電圧Ｖoutは、ソース線Ｓ（ｍ）を介して供給される映像信号Ｄoutと同期するようになっている。
【００８６】
また、本変形例に係るトランジスタＱ３は、ゲートが補助ゲート線Ｇ’（ｎ）に接続され、ソースが補助容量線Ｃｓ（ｎ）に接続され、ドレインが接続線Ｌ２を介して補助容量素子Ｃｓの対向電極およびトランジスタＱ２のドレインに接続されている。このトランジスタＱ３は、ゲートドライバ５２から補助ゲート線Ｇ’（ｎ）を介して供給される選択信号に応じて、ＴＦＴ素子Ｑ１による映像信号Ｄoutの供給終了後に、補助容量素子Ｃｓの対向電極を所定の基準電位Ｖｃｓに再設定するためのスイッチング素子として機能している。
【００８７】
このような構成により本変形例では、例えば図１９に示したように、タイミングｔ４０〜ｔ４２において、ゲートドライバ５２からゲート線Ｇ（ｎ）を介して供給される選択信号に応じて、補助ソース線Ｓ’（ｍ）と画素２４（ｍ，ｎ）内の補助容量素子Ｃｓの対向電極との間が選択的に導通し、これにより補助容量素子Ｃｓの対向電極に補助容量電圧Ｖoutが供給される。また、タイミングｔ４５〜ｔ４６において、ゲートドライバ５２からゲート線Ｇ’（ｎ）を介して供給される選択信号に応じて、補助容量線Ｃｓ（ｎ）と補助容量素子Ｃｓの対向電極との間が選択的に導通し、これにより補助容量素子Ｃｓの対向電極に基準電位Ｖｃｓが供給され再設定される。よって、上記実施の形態と同様の作用により同様の効果を得ることが可能である。すなわち、液晶表示素子間での表示ばらつきなどの表示画質の低下を生じさせることなく、液晶表示素子に本来の電圧よりも高い電圧を印加させることができ、液晶素子ＬＣの応答速度を向上させることが可能となる。
【００８８】
また、本変形例では容量素子Ｃ１，Ｃ２およびダイオードＤ１が不要となるため、上記実施の形態と比べ、画素回路ユニットの構成を簡素化し、面積を小さくすることができる。
【００８９】
なお、上記のように、本変形例は上記変形例２，３を組み合わせたものに対応するが、上記変形例１，３を組み合わせるようにしてもよい。
【００９０】
以上、実施の形態およびその変形例をいくつか挙げて本発明を説明したが、本発明はこれらの実施の形態等に限定されるものではなく、種々の変形が可能である。
【００９１】
例えば、上記実施の形態では、選択信号ＤＣＳが２ビットの信号である場合について説明したが、例えば１ビットの信号としたり、３ビット以上の信号としてもよい。選択信号ＤＣＳを１ビットの信号とした場合には、補助容量電圧Ｖoutを基準電圧Ｖｃｓ，Ｖｃｓｐ，Ｖｃｓｎの３種類の電圧により構成することとなるため、上記実施の形態と比べて補助容量電圧生成部５１４による電圧生成動作を簡素化し、処理負担を軽減することが可能となる。また、選択信号ＤＣＳを３ビット以上の信号とした場合には、ビット数を増やした分だけ補助容量電圧Ｖoutの種類を増やすことができるため、上記実施の形態と比べてよりきめ細やかな制御をすることが可能となる。
【００９２】
また、上記実施の形態では、液晶表示パネル２内の各画素回路ユニット（液晶表示素子）をいわゆるドット反転により表示駆動する場合について説明したが、例えば、いわゆるライン反転やフレーム反転により表示駆動するようにしてもよい。ただし、隣接するソース線Ｓ（ｍ＋１）を時分割に共用して補助容量電圧Ｖoutの供給動作を行う場合（上記実施の形態および変形例１，２）では、ゲート線に沿って隣接する画素間で映像信号Ｄoutの電圧極性が反転しているドット反転のほうが、電圧極性が反転していないライン反転やフレーム反転の場合と比べ、補助容量電圧Ｖoutの供給後に本来の映像信号Ｄoutを供給する際の電圧変化量が小さくて済むため、駆動部５１５等の駆動能力を抑えることができる。
【００９３】
また、上記実施の形態では、液晶がＶＡモードの液晶である場合において、黒表示状態から白表示状態へ遷移する画素回路ユニット（液晶表示素子）に対して選択的に補助容量電圧Ｖoutの供給動作を行う場合について説明したが、各液晶表示素子へ供給される映像信号Ｄoutに応じて他の選択的な供給動作を行うようにしてもよい。
【００９４】
また、上記実施の形態では、各液晶表示素子へ供給される映像信号Ｄoutに応じて選択的に補助容量電圧Ｖoutの供給動作を行う場合について説明したが、例えば各液晶表示素子の劣化の度合い等を把握すると共に、その液晶表示素子ごとの劣化の度合いに応じて選択的に補助容量電圧Ｖoutの供給動作を行い、これにより経時的な劣化に起因する液晶表示素子間の輝度ばらつき等を解消させるようにしてもよい。
【００９５】
さらに、上記実施の形態では、表示パネルを有する画像表示装置の一例として、液晶表示パネル２を有する液晶表示装置１について説明したが、本発明の画像処理装置は、他の表示パネルを有する画像表示装置、すなわち、例えばプラズマ表示装置（ＰＤＰ：Plasma Display Panel）やＥＬ（ElectroLuminescence）表示装置等にも適用することが可能である。
【図面の簡単な説明】
【００９６】
【図１】本発明の一実施の形態に係る表示パネルを備えた液晶表示装置の全体構成を表すブロック図である。
【図２】図１に示した各画素内に形成された画素回路ユニットの詳細構成を表す回路図である。
【図３】図１に示した演算部による信号生成動作を説明するための図である。
【図４】図１に示した補助容量電圧生成部による電圧生成動作を説明するための図である。
【図５】図４に示した電圧生成動作の詳細を説明するための図である。
【図６】図２に示した画素回路ユニットの駆動動作を表すタイミング波形図である。
【図７】図２に示した画素回路ユニットの駆動動作を説明するための状態図である。
【図８】図７に続く画素回路ユニットの駆動動作を説明するための状態図である。
【図９】図８に続く画素回路ユニットの駆動動作を説明するための状態図である。
【図１０】図９に続く画素回路ユニットの駆動動作を説明するための状態図である。
【図１１】図１０に続く画素回路ユニットの駆動動作を説明するための状態図である。
【図１２】変形例１に係る画素回路ユニットの詳細構成を表す回路図である。
【図１３】図１２に示した画素回路ユニットの駆動動作を表すタイミング波形図である。
【図１４】変形例２に係る画素回路ユニットの詳細構成を表す回路図である。
【図１５】図１４に示した画素回路ユニットの駆動動作を表すタイミング波形図である。
【図１６】変形例３に係る画素回路ユニットの詳細構成を表す回路図である。
【図１７】図１６に示した画素回路ユニットの駆動動作を表すタイミング波形図である。
【図１８】変形例４に係る画素回路ユニットの詳細構成を表す回路図である。
【図１９】図１８に示した画素回路ユニットの駆動動作を表すタイミング波形図である。
【符号の説明】
【００９７】
１…液晶表示装置、２，２Ａ〜２Ｄ…液晶表示パネル、２０，２０（ｍ，ｎ），２０（ｍ＋１，ｎ），２０（ｍ，ｎ＋１），２１（ｍ，ｎ），２１（ｍ＋１，ｎ），２１（ｍ，ｎ＋１），２２（ｍ，ｎ），２２（ｍ＋１，ｎ），２２（ｍ，ｎ＋１），２３（ｍ，ｎ），２３（ｍ＋１，ｎ），２３（ｍ，ｎ＋１），２４（ｍ，ｎ），２４（ｍ＋１，ｎ），２４（ｍ，ｎ＋１）…画素、３…バックライト部、４１…画像処理部、４２…フレームメモリ、５１…ソースドライバ、５１１…Ｄ／Ａ変換部、５１２…演算部、５１３…電源部、５１４…補助容量電圧生成部、５１５…駆動部、５２…ゲートドライバ、６１…タイミング制御部、６２…バックライト駆動部、Ｄin…映像信号、Ｄ１ｃ，Ｄ１ｐ…画像処理後の映像信号、Ｄout…Ｄ／Ａ変換後の映像信号、ＤＣＳ…電圧選択信号、Ｄｐｍ…極性信号、Ｖｃｓ，Ｖｃｓｐ，Ｖｃｓｎ…基準電圧、Ｖout…補助容量電圧、ＥＮ…イネーブル信号、ＬＣ…液晶素子、Ｃｓ…補助容量素子、Ｑ１，Ｑ１’，Ｑ１”…ＴＦＴ素子、Ｑ２，Ｑ３…スイッチング素子（トランジスタ）、Ｄ１…ダイオード（トランジスタ）、Ｃ１，Ｃ２…容量素子、Ｌ１〜Ｌ４…接続線、Ｇ（ｎ），Ｇ（ｎ＋１）…ゲート線、Ｇ’（ｎ）…補助ゲート線、Ｓ（ｍ），Ｓ（ｍ＋１）…ソース線、Ｓ’（ｍ）…補助ソース線、Ｃｓ（ｎ）…補助容量線、ＶＣＯＭ…コモン電極、ＶＧ（ｎ），ＶＧ（ｎ＋１），ＶＧ’（ｎ），ＶＳ（ｍ），ＶＳ（ｍ＋１），ＶＳ’（ｍ），ＶＬ２，ＶＬ３…電圧、Ｉ１〜Ｉ６…電流、Δｔ…半値幅、ｔ０〜ｔ２８，ｔ３０〜ｔ３７，ｔ４０〜ｔ４６…タイミング。
【図１】
2008256914.tif 000003
【図２】
2008256914.tif 000004
【図３】
2008256914.tif 000005
【図４】
2008256914.tif 000006
【図５】
2008256914.tif 000007
【図６】
2008256914.tif 000008
【図７】
2008256914.tif 000009
【図８】
2008256914.tif 000010
【図９】
2008256914.tif 000011
【図１０】
2008256914.tif 000012
【図１１】
2008256914.tif 000013
【図１２】
2008256914.tif 000014
【図１３】
2008256914.tif 000015
【図１４】
2008256914.tif 000016
【図１５】
2008256914.tif 000017
【図１６】
2008256914.tif 000018
【図１７】
2008256914.tif 000019
【図１８】
2008256914.tif 000020
【図１９】
2008256914.tif 000021
【手続補正書】
【提出日】平成20年6月19日(2008.6.19)
【手続補正１】
【補正対象書類名】特許請求の範囲
【補正対象項目名】全文
【補正方法】変更
【補正の内容】
【特許請求の範囲】
【請求項１】
一端に供給される画像データに応じて表示のための動作を行う表示要素としての主容量素子と、一端が前記主容量素子の前記一端に接続された補助容量素子とを各々が含むようにして構成された複数の表示素子と、
前記主容量素子の両端間の電圧が前記画像データによって定まる電圧値よりも大きくなるように定められた付加電位を前記補助容量素子の他端に補助容量素子単位で供給しつつ、各表示素子の表示駆動を行う駆動手段と
を備えたことを特徴とする画像表示装置。
【請求項２】
前記駆動手段は、前記付加電位として、前記主容量素子の前記一端の電位とは逆極性の電位を前記補助容量素子単位で供給する
ことを特徴とする請求項１に記載の画像表示装置。
【請求項３】
前記駆動手段は、各表示素子へ供給される画像データに応じて、前記付加電位を前記補助容量素子単位で変化させる
ことを特徴とする請求項１に記載の画像表示装置。
【請求項４】
前記駆動手段は、現在の単位フレームとその直前の単位フレームとの間の画像データの輝度レベル差が所定の閾値以上の表示素子に対し、前記主容量素子の両端間の電圧がより大きくなるように、前記付加電位を前記補助容量素子単位で変化させる
ことを特徴とする請求項３に記載の画像表示装置。
【請求項５】
前記駆動手段は、前記画像データの輝度レベル差が前記閾値以上の表示素子において、その輝度レベル差が大きくなるのに応じて前記主容量素子の両端間の電圧がより大きくなるように、前記付加電位を前記補助容量素子単位で変化させる
ことを特徴とする請求項４に記載の画像表示装置。
【請求項６】
前記主容量素子が液晶層を含んで構成され、
前記表示素子が液晶表示素子である
ことを特徴とする請求項１に記載の画像表示装置。
【請求項７】
前記液晶層が、垂直配向（ＶＡ）モードの液晶により構成されている
ことを特徴とする請求項６に記載の画像表示装置。
【請求項８】
前記駆動手段は、黒表示状態から白表示状態へ遷移する液晶表示素子に対し、前記主容量素子の両端間の電圧がより大きくなるように、前記対向電位を前記補助容量素子単位で変化させる
ことを特徴とする請求項７に記載の画像表示装置。
【請求項９】
前記駆動手段は、前記白表示状態と前記黒表示状態との画像データの輝度レベル差が所定の閾値以上の液晶表示素子に対し、前記主容量素子の両端間の電圧がより大きくなるように、前記付加電位を前記補助容量素子単位で変化させる
ことを特徴とする請求項８に記載の画像表示装置。
【請求項１０】
各液晶表示素子が、
前記主容量素子および前記補助容量素子の互いに共通に接続された一端に前記画像データを供給するための第１のスイッチング素子と、
前記第１のスイッチング素子による前記画像データの供給開始タイミングに同期して、前記補助容量素子の他端に前記付加電位を供給するための第２のスイッチング素子と、
前記第１のスイッチング素子による前記画像データの供給終了後に、前記補助容量素子の他端を所定の基準電位に再設定するための第３のスイッチング素子と
を含んで構成されている
ことを特徴とする請求項６に記載の画像表示装置。
【請求項１１】
各液晶表示素子がマトリクス状に配置され、
前記駆動手段は、前記液晶表示素子を線順次で表示駆動を行い、
各液晶表示素子には、
駆動対象の液晶表示素子を線順次で選択するための１本のゲート線と、
駆動対象の液晶表示素子に対して前記画像データを供給するための１本のソース線と、
前記基準電位への再設定を行うための１本の基準電位線とが接続され、
前記第１のスイッチング素子は、前記駆動手段から前記ゲート線を介して供給される選択信号に応じて、前記ソース線と前記主容量素子および前記補助容量素子の互いに共通に接続された一端との間を選択的に導通させるものであり、
前記第２のスイッチング素子は、前記選択信号に応じて、前記ソース線に隣接する隣接ソース線と前記補助容量素子の他端との間を選択的に導通させて前記付加電位を一時的に供給するためのものであり、
前記第３のスイッチング素子は、前記駆動手段から前記ゲート線に隣接する隣接ゲート線を介して供給される隣接選択信号に応じて、前記基準電位線と前記補助容量素子の他端との間を選択的に導通させて前記基準電位を供給するためのものであり、
前記液晶表示素子は、
前記第２のスイッチング素子に対して前記選択信号をパルス状に供給させるための第１の容量素子と、
前記第２のスイッチング素子をオフ状態として前記隣接ソース線と前記補助容量素子の他端との間を選択的に遮断するための放電素子と、
前記補助容量素子の他端の電位を保持するための第２の容量素子とをさらに含む
ことを特徴とする請求項１０に記載の画像表示装置。
【請求項１２】
各液晶表示素子がマトリクス状に配置され、
前記駆動手段は、前記液晶表示素子を線順次で表示駆動を行い、
各液晶表示素子には、
駆動対象の液晶表示素子を線順次で選択するための主ゲート線および補助ゲート線の２本のゲート線と、
駆動対象の液晶表示素子に対して前記画像データを供給するための１本のソース線と、
前記基準電位への再設定を行うための１本の基準電位線とが接続され、
前記第１のスイッチング素子は、前記駆動手段から前記主ゲート線を介して供給される主選択信号に応じて、前記ソース線と前記主容量素子および前記補助容量素子の互いに共通に接続された一端との間を選択的に導通させるものであり、
前記第２のスイッチング素子は、前記駆動手段から前記補助ゲート線を介して供給される補助選択信号に応じて、前記ソース線に隣接する隣接ソース線と前記補助容量素子の他端との間を選択的に導通させて前記付加電位を一時的に供給するためのものであり、
前記第３のスイッチング素子は、前記駆動手段から隣接する液晶表示素子用の主ゲート線である隣接主ゲート線を介して供給される隣接主選択信号に応じて、前記基準電位線と前記補助容量素子の他端との間を選択的に導通させて前記基準電位を供給するためのものであり、
前記液晶表示素子は、前記補助容量素子の他端の電位を保持するための容量素子をさらに含む
ことを特徴とする請求項１０に記載の画像表示装置。
【請求項１３】
各液晶表示素子がマトリクス状に配置され、
前記駆動手段は、前記液晶表示素子を線順次で表示駆動を行い、
各液晶表示素子には、
駆動対象の液晶表示素子を線順次で選択するための主ゲート線および補助ゲート線の２本のゲート線と、
駆動対象の液晶表示素子に対して前記画像データを供給するための１本のソース線と、
前記基準電位への再設定を行うための１本の基準電位線とが接続され、
前記第１のスイッチング素子は、前記駆動手段から前記主ゲート線を介して供給される主選択信号に応じて、前記ソース線と前記主容量素子および前記補助容量素子の互いに共通に接続された一端との間を選択的に導通させるものであり、
前記第２のスイッチング素子は、前記主選択信号に応じて、前記ソース線に隣接する隣接ソース線と前記補助容量素子の他端との間を選択的に導通させて前記付加電位を一時的に供給するためのものであり、
前記第３のスイッチング素子は、前記駆動手段から前記補助ゲート線を介して供給される補助選択信号に応じて、前記基準電位線と前記補助容量素子の他端との間を選択的に導通させて前記基準電位を供給するためのものであり、
前記液晶表示素子は、
前記第２のスイッチング素子に対して前記主選択信号をパルス状に供給させるための容量素子と、
前記第２のスイッチング素子をオフ状態として前記隣接ソース線と前記補助容量素子の他端との間を選択的に遮断するための放電素子とをさらに含む
ことを特徴とする請求項１０に記載の画像表示装置。
【請求項１４】
各液晶表示素子がマトリクス状に配置され、
前記駆動手段は、前記液晶表示素子を線順次で表示駆動を行い、
各液晶表示素子には、
駆動対象の液晶表示素子を線順次で選択するための１本のゲート線と、
駆動対象の液晶表示素子に対して前記画像データを供給するための主ソース線および補助ソース線の２本のソース線と、
前記基準電位への再設定を行うための１本の基準電位線とが接続され、
前記第１のスイッチング素子は、前記駆動手段から前記ゲート線を介して供給される選択信号に応じて、前記主ソース線と前記主容量素子および前記補助容量素子の互いに共通に接続された一端との間を選択的に導通させるものであり、
前記第２のスイッチング素子は、前記選択信号に応じて、前記補助ソース線と前記補助容量素子の他端との間を選択的に導通させて前記付加電位を供給するためのものであり、
前記第３のスイッチング素子は、前記駆動手段から前記ゲート線に隣接する隣接ゲート線を介して供給される隣接選択信号に応じて、前記基準電位線と前記補助容量素子の他端との間を選択的に導通させて前記基準電位を供給するためのものであり、
前記液晶表示素子は、前記補助容量素子の他端の電位を保持するための容量素子をさらに含む
ことを特徴とする請求項１０に記載の画像表示装置。
【請求項１５】
各液晶表示素子がマトリクス状に配置され、
前記駆動手段は、前記液晶表示素子を線順次で表示駆動を行い、
各液晶表示素子には、
駆動対象の液晶表示素子を線順次で選択するための主ゲート線および補助ゲート線の２本のゲート線と、
駆動対象の液晶表示素子に対して前記画像データを供給するための主ソース線および補助ソース線の２本のソース線と、
前記基準電位への再設定を行うための１本の基準電位線とが接続され、
前記第１のスイッチング素子は、前記駆動手段から前記主ゲート線を介して供給される主選択信号に応じて、前記主ソース線と前記主容量素子および前記補助容量素子の互いに共通に接続された一端との間を選択的に導通させるものであり、
前記第２のスイッチング素子は、前記主選択信号に応じて、前記補助ソース線と前記補助容量素子の他端との間を選択的に導通させて前記付加電位を供給するためのものであり、
前記第３のスイッチング素子は、前記駆動手段から前記補助ゲート線を介して供給される補助選択信号に応じて、前記基準電位線と前記補助容量素子の他端との間を選択的に導通させて前記基準電位を供給するためのものである
ことを特徴とする請求項１０に記載の画像表示装置。
【請求項１６】
一端に供給される画像データに応じて表示のための動作を行う表示要素としての主容量素子と、一端が前記主容量素子の前記一端に接続された補助容量素子とを各々が含むようにして構成された複数の表示素子が並んで配置され、
前記主容量素子の両端間の電圧が前記画像データによって定まる電圧値よりも大きくなるように定められた付加電位が、前記補助容量素子の他端に補助容量素子単位で供給される
ことを特徴とする表示パネル。
【請求項１７】
一端に供給される画像データに応じて表示のための動作を行う表示要素としての主容量素子と、一端が前記主容量素子の前記一端に接続された補助容量素子とを各々が含むようにして構成された複数の表示素子を備える画像表示装置に適用される駆動方法であって、
各表示素子の表示駆動の際に、
前記主容量素子および前記補助容量素子の互いに共通に接続された一端に対して前記画像データを供給し、
前記画像データの供給開始タイミングに同期して、前記主容量素子の両端間の電圧が前記画像データによって定まる電圧値よりも大きくなるように定められた付加電位を前記補助容量素子の他端に補助容量素子単位で供給し、
前記画像データの供給終了後に、前記補助容量素子の他端を所定の基準電位に再設定する
ことを特徴とする画像表示装置の駆動方法。
【手続補正２】
【補正対象書類名】明細書
【補正対象項目名】００１０
【補正方法】変更
【補正の内容】
【００１０】
本発明の画像表示装置は、複数の表示素子と、駆動手段とを備えたものである。ここで、上記複数の表示素子は、一端に供給される画像データに応じて表示のための動作を行う表示要素としての主容量素子と、一端が主容量素子の一端に接続された補助容量素子とを各々が含むようにして構成されたものである。また、上記駆動手段は、主容量素子の両端間の電圧が画像データによって定まる本来の電圧値よりも大きくなるように定められた付加電位を補助容量素子の他端に補助容量素子単位で供給しつつ、各表示素子の表示駆動を行うものである。
【手続補正３】
【補正対象書類名】明細書
【補正対象項目名】００１１
【補正方法】変更
【補正の内容】
【００１１】
本発明の表示パネルは、一端に供給される画像データに応じて表示のための動作を行う表示要素としての主容量素子と、一端が主容量素子の一端に接続された補助容量素子とを各々が含むようにして構成された複数の表示素子が並んで配置されると共に、上記主容量素子の両端間の電圧が画像データによって定まる本来の電圧値よりも大きくするように定められた付加電位が、補助容量素子の他端に補助容量素子単位で供給されるようにしたものである。
【手続補正４】
【補正対象書類名】明細書
【補正対象項目名】００１２
【補正方法】変更
【補正の内容】
【００１２】
本発明の画像表示装置および表示パネルでは、各表示素子の表示駆動の際に補助容量素子の他端に上記付加電位が供給されるため、各表示素子において、主容量素子の両端間の電圧が、本来の電圧値よりも高くなる。また、このような付加電位が補助容量素子単位で供給されるため、補助容量素子の他端側に走査ライン単位で一括して電力供給がなされる従来とは異なり、補助容量素子単位、すなわち表示素子単位での適応的な電力供給が可能となる。なお、「本来の電圧値」とは、映像信号に基づく画素電圧値を意味するものであり、言い換えると、注目画素に設定された輝度レベルを表現するための電圧値を意味するものである。
【手続補正５】
【補正対象書類名】明細書
【補正対象項目名】００１３
【補正方法】変更
【補正の内容】
【００１３】
本発明の画像表示装置では、上記駆動手段が、上記付加電位として、主容量素子の一端の電位とは逆極性の電位を補助容量素子単位で供給するようにしてもよい。このように構成した場合、補助容量素子の他端に主容量素子の一端の電位とは逆極性の電位が供給されるため、この主容量素子の両端間の電圧が、本来の電圧値よりも高くなり得る。
【手続補正６】
【補正対象書類名】明細書
【補正対象項目名】００１４
【補正方法】変更
【補正の内容】
【００１４】
本発明の画像表示装置では、上記駆動手段が、各表示素子へ供給される画像データに応じて、上記付加電位を補助容量素子単位で変化させるようにしてもよい。このように構成した場合、画像データに応じて各表示素子内の補助容量素子の他端に上記付加電位が供給されるため、表示映像に応じて、表示素子単位での適応的な電力供給が可能となる。
【手続補正７】
【補正対象書類名】明細書
【補正対象項目名】００１５
【補正方法】変更
【補正の内容】
【００１５】
本発明の画像表示装置では、上記主容量素子が液晶層を含んで構成されるようにすると共に上記表示素子を液晶表示素子としてもよい。また、この場合において、上記液晶層を垂直配向（ＶＡ）モードの液晶としてもよい。このように構成した場合、液晶層を含む主容量素子の両端間の電圧が本来の電圧値よりも高くなるため、主容量素子の応答速度が向上する。また、補助容量素子単位で上記付加電位が供給されるため、液晶表示素子単位での応答速度の制御が可能となる。さらに、この場合において、上記駆動手段が、黒表示状態から白表示状態へ遷移する液晶表示素子に対し、主容量素子の両端間の電圧がより大きくなるように上記付加電位を補助容量素子単位で変化させるようにするのが好ましい。このように構成した場合、電圧印加の際のＶＡモード液晶の容量変化に起因して特に応答速度の改善が必要とされる、黒表示状態から白表示状態へ遷移する液晶表示素子において、主容量素子の両端間の電圧がより高く設定される。したがって、液晶表示素子単位での選択的な動画応答特性の改善が可能となる。
【手続補正８】
【補正対象書類名】明細書
【補正対象項目名】００１６
【補正方法】変更
【補正の内容】
【００１６】
本発明の画像表示装置の駆動方法は、一端に供給される画像データに応じて表示のための動作を行う表示要素としての主容量素子と、一端が前記主容量素子の一端に接続された補助容量素子とを各々が含むようにして構成された複数の表示素子を備える画像表示装置に適用されるものであって、各表示素子の表示駆動の際に、主容量素子および補助容量素子の互いに共通に接続された一端に対して画像データを供給し、画像データの供給開始タイミングに同期して、主容量素子の両端間の電圧が本来の電圧値よりも大きくなるように設定された付加電位を補助容量素子の他端に補助容量素子単位で供給し、画像データの供給終了後に補助容量素子の他端を所定の基準電位に再設定するようにしたものである。
【手続補正９】
【補正対象書類名】明細書
【補正対象項目名】００１７
【補正方法】変更
【補正の内容】
【００１７】
本発明の画像表示装置の駆動方法では、各表示素子の表示駆動の際に、主容量素子および補助容量素子の互いに共通に接続された一端に対して画像データが供給される。また、この画像データの供給開始タイミングに同期して、上記付加電位が補助容量素子の他端に補助容量素子単位で供給される。そして上記画像データの供給終了後に、補助容量素子の他端が所定の基準電位に再設定される。これにより、各表示素子において、主容量素子の両端間の電圧が、画像データによって定まる電圧値よりも高くなる。また、このような付加電位が補助容量素子単位で供給されるため、補助容量素子の他端側に走査ライン単位で一括して電力供給がなされる従来とは異なり、補助容量素子単位、すなわち表示素子単位での適応的な電力供給が可能となる。
【手続補正１０】
【補正対象書類名】明細書
【補正対象項目名】００１８
【補正方法】変更
【補正の内容】
【００１８】
本発明の画像表示装置または表示パネルによれば、各表示素子の表示駆動の際に補助容量素子の他端に上記付加電位を供給すると共に、この付加電位を補助容量素子単位で供給するようにしたので、各表示素子において、主容量素子の両端間の電圧を本来の電圧値よりも高くすることができると共に、表示素子単位での適応的な電力供給が可能となる。よって、表示素子間での表示ばらつきなどの表示画質の低下を生じさせることなく、表示素子に本来の電圧よりも高い電圧を印加させることが可能となる。
【手続補正１１】
【補正対象書類名】明細書
【補正対象項目名】００１９
【補正方法】変更
【補正の内容】
【００１９】
また、本発明の画像表示装置の駆動方法によれば、各表示素子の表示駆動の際に、主容量素子および補助容量素子の互いに共通に接続された一端に対して画像データを供給すると共に、この画像データの供給開始タイミングに同期して上記付加電位を補助容量素子の他端に補助容量素子単位で供給し、上記画像データの供給終了後に補助容量素子の他端を所定の基準電位に再設定するようにしたので、各表示素子において、主容量素子の両端間の電圧を本来の電圧値よりも高くすることができると共に、表示素子単位での適応的な電力供給が可能となる。よって、表示素子間での表示ばらつきなどの表示画質の低下を生じさせることなく、表示素子に本来の電圧よりも高い電圧を印加させることが可能となる。
【手続補正１２】
【補正対象書類名】明細書
【補正対象項目名】００２１
【補正方法】変更
【補正の内容】
【００２１】
図１は、本発明の一実施の形態に係る表示パネル（後述する液晶表示パネル２）を備えた画像表示装置（液晶表示装置１）の全体構成を表すものである。この液晶表示装置１は、液晶表示パネル２と、バックライト部３と、画像処理部４１と、フレームメモリ４２と、ソースドライバ５１およびゲートドライバ５２と、タイミング制御部６１と、バックライト制御部６２とを備えている。なお、本実施の形態に係る画像表示装置の駆動方法は、本実施の形態の液晶表示装置によって具現化されるので、以下併せて説明する。
【手続補正１３】
【補正対象書類名】明細書
【補正対象項目名】００２６
【補正方法】変更
【補正の内容】
【００２６】
ゲートドライバ５２は、タイミング制御部６１によるタイミング制御に従って、液晶表示パネル２内の各画素２０を図示しない走査線に沿って線順次駆動するものである。また、ソースドライバ５１は、液晶表示パネル２の各画素２０へそれぞれ、現在のフレームの映像信号Ｄ１ｃおよびフレームメモリ４２に記憶されている１フレーム前（直前）の映像信号Ｄ１ｐに基づく駆動電圧を供給するものであり、Ｄ／Ａ（ディジタル／アナログ）変換部５１１と、演算部５１２と、電源部５１３と、補助容量電圧生成部５１４と、駆動部５１５とを有している。
【手続補正１４】
【補正対象書類名】明細書
【補正対象項目名】００２８
【補正方法】変更
【補正の内容】
【００２８】
演算部５１２は、画像処理部４１から供給される現在のフレームの映像信号Ｄ１ｃおよびフレームメモリ４２に記憶されている１フレーム前（直前）の映像信号Ｄ１ｐに基づき、例えば図３に示した表に規定される所定の演算を行うことにより、２ビットの選択信号ＤＣＳを生成・出力するものである。この演算部５１２はまた、フレームメモリ４２に記憶されている１フレーム前（直前）の映像信号Ｄ１ｐに基づき、その映像信号Ｄ１ｐにおける信号の極性（正極性または負極性）を画素ごとに検出し、その極性を表す画素ごとの極性信号Ｄｐｍを出力するようになっている。なお、この演算部５１２による信号生成動作の詳細については、後述する。
【手続補正１５】
【補正対象書類名】明細書
【補正対象項目名】００３７
【補正方法】変更
【補正の内容】
【００３７】
ＴＦＴ素子Ｑ１はＭＯＳ−ＦＥＴ（Metal Oxide Semiconductor−Field Effect Transistor）により構成されており、ゲートがゲート線Ｇ（ｎ）に接続され、ソースが接続線Ｌ１を介して液晶素子ＬＣの一端および補助容量素子Ｃｓの一端に接続され、ドレインがソース線Ｓ（ｍ）に接続されている。このＴＦＴ素子Ｑ１は、液晶素子ＬＣの一端および補助容量素子Ｃｓの一端に対して映像信号Ｄoutを供給するためのスイッチング素子として機能している。具体的には、ゲートドライバ５２からゲート線Ｇ（ｎ）を介して供給される選択信号に応じて、ソース線Ｓ（ｍ）と画素２０（ｍ，ｎ）内の液晶素子ＬＣおよび補助容量素子Ｃｓの共通接続された一端との間を選択的に導通させるようになっている。
【手続補正１６】
【補正対象書類名】明細書
【補正対象項目名】００３８
【補正方法】変更
【補正の内容】
【００３８】
なお、同様にＴＦＴ素子Ｑ１’もＭＯＳ−ＦＥＴにより構成されており、ゲートがゲート線Ｇ（ｎ＋１）に接続され、ソースが画素２０（ｍ，ｎ＋１）内の液晶素子ＬＣおよび補助容量素子Ｃｓの一端同士に接続され、ドレインがソース線Ｓ（ｍ）に接続されている。これによりＴＦＴ素子Ｑ１’は、ゲートドライバ５２からゲート線Ｇ（ｎ＋１）を介して供給される選択信号に応じて、ソース線Ｓ（ｍ）と画素２０（ｍ，ｎ＋１）内の液晶素子ＬＣおよび補助容量素子Ｃｓの一端同士との間を選択的に導通させるようになっている。また、ＴＦＴ素子Ｑ１”もＭＯＳ−ＦＥＴにより構成されており、ゲートがゲート線Ｇ（ｎ）に接続され、ソースが画素２０（ｍ＋１，ｎ）内の液晶素子ＬＣおよび補助容量素子Ｃｓの共通接続された一端に接続され、ドレインがソース線Ｓ（ｍ＋１）に接続されている。これによりＴＦＴ素子Ｑ１”は、ゲートドライバ５２からゲート線Ｇ（ｎ）を介して供給される選択信号に応じて、ソース線Ｓ（ｍ＋１）と画素２０（ｍ＋１，ｎ）内の液晶素子ＬＣおよび補助容量素子Ｃｓの共通接続された一端との間を選択的に導通させるようになっている。
【手続補正１７】
【補正対象書類名】明細書
【補正対象項目名】００３９
【補正方法】変更
【補正の内容】
【００３９】
トランジスタＱ２もＭＯＳ−ＦＥＴにより構成されており、ゲートが接続線Ｌ３を介して容量素子Ｃ１の一端ならびにトランジスタＤ１のゲートおよびドレインに接続され、ソースがソース線Ｓ（ｍ＋１）に接続され、ドレインが接続線Ｌ２を介して補助容量素子Ｃｓの対向電極、容量素子Ｃ２の一端およびトランジスタＱ３のドレインに接続されている。このトランジスタＱ２は、ＴＦＴ素子Ｑ１による映像信号Ｄoutの供給タイミングに同期して、補助容量素子Ｃｓの対向電極に補助容量電圧Ｖout（対向電位）を供給するためのスイッチング素子として機能している。具体的には、ゲートドライバ５２からゲート線Ｇ（ｎ）を介して供給される選択信号に応じて、ソース線（隣接ソース線）Ｓ（ｍ＋１）と画素２０（ｍ，ｎ）内の補助容量素子Ｃｓの対向電極との間を選択的に導通させ、この対向電極に補助容量電圧Ｖoutを付加電位として一時的に供給するようになっている。
【手続補正１８】
【補正対象書類名】明細書
【補正対象項目名】００６２
【補正方法】変更
【補正の内容】
【００６２】
また、補助容量電圧Ｖoutとして、液晶素子ＬＣの両端間の電圧と逆極性の付加電位を補助容量素子Ｃｓ単位で供給するようにしたので、補助容量素子Ｃｓの対向電極に液晶素子ＬＣの両端間の電圧と逆極性の電位を供給することができ、これにより液晶素子ＬＣの両端間の電圧を、本来の電圧値よりも高くすることができる。
【手続補正１９】
【補正対象書類名】明細書
【補正対象項目名】００７０
【補正方法】変更
【補正の内容】
【００７０】
具体的には、本変形例に係るトランジスタＱ２は、ゲートが接続線Ｌ４を介して補助ゲート線Ｇ’（ｎ）に接続され、ソースがソース線Ｓ（ｍ＋１）に接続され、ドレインが接続線Ｌ２を介して補助容量素子Ｃｓの対向電極、容量素子Ｃ２の一端およびトランジスタＱ３のドレインに接続されている。このトランジスタＱ２は、ゲートドライバ５２から補助ゲート線Ｇ’（ｎ）を介して供給される選択信号に応じて、補助容量素子Ｃｓの対向電極に補助容量電圧Ｖout（対向電位）を一時的に供給するためのスイッチング素子として機能している。
【手続補正２０】
【補正対象書類名】明細書
【補正対象項目名】００８０
【補正方法】変更
【補正の内容】
【００８０】
具体的には、本変形例に係るトランジスタＱ２は、ゲートが接続線Ｌ４を介してゲート線Ｇ（ｎ）に接続され、ソースが補助ソース線Ｓ’（ｍ）に接続され、ドレインが接続線Ｌ２を介して補助容量素子Ｃｓの対向電極、容量素子Ｃ２の一端およびトランジスタＱ３のドレインに接続されている。このトランジスタＱ２は、ゲートドライバ５２から補助ゲート線Ｇ（ｎ）を介して供給される選択信号に応じて、補助容量素子Ｃｓの対向電極に補助容量電圧Ｖout（対向電位）を供給するためのスイッチング素子として機能している。
なお、補助ソース線Ｓ’（ｍ）を介して供給される補助容量電圧Ｖoutは、図１７中の符号Ｐ７，Ｐ９，Ｐ１０に示したように、ソース線Ｓ（ｍ）を介して供給される映像信号Ｄoutと同期するようになっている。
【手続補正２１】
【補正対象書類名】明細書
【補正対象項目名】００８５
【補正方法】変更
【補正の内容】
【００８５】
具体的には、本変形例に係るトランジスタＱ２は、ゲートが接続線Ｌ４を介してゲート線Ｇ（ｎ）に接続され、ソースが補助ソース線Ｓ’（ｍ）に接続され、ドレインが接続線Ｌ２を介して補助容量素子Ｃｓの対向電極およびトランジスタＱ３のドレインに接続されている。このトランジスタＱ２は、ゲートドライバ５２からゲート線Ｇ（ｎ）を介して供給される選択信号に応じて、補助容量素子Ｃｓの対向電極に補助容量電圧Ｖout（対
向電位）を供給するためのスイッチング素子として機能している。なお、本変形例においても、補助ソース線Ｓ’（ｍ）を介して供給される補助容量電圧Ｖoutは、ソース線Ｓ（
ｍ）を介して供給される映像信号Ｄoutと同期するようになっている。